【手続補正書】
【提出日】平成27年3月4日(2015.3.4)
【手続補正１】
【補正対象書類名】特許請求の範囲
【補正対象項目名】全文
【補正方法】変更
【補正の内容】
【特許請求の範囲】
【請求項１】
デバイスにおけるコンピュータ実装方法であって、
前記デバイスの選択可能な制御を通じて、第１の固有人物または第２の固有人物により第１アカウントを第２アカウントと集合化する安全な選択を可能にするステップであって、前記第１の固有人物の前記第１アカウントが、前記第１の固有人物の好みを示す第１情報を有し、第２の固有人物の前記第２アカウントが、前記第２の固有人物の好みを示す第２情報を有する、ステップと、
前記デバイスの前記選択可能な制御を通じた前記第１の固有人物または前記第２の固有人物による安全な選択に応答して、前記第１の固有人物および前記第２の固有人物に対応する個人トークンを含むグループ・クッキーを通じて、ウェブ対応サービス・プロバイダに、前記第１の固有人物および前記第２の固有人物に対して特化したウェブ・サービスを提供させるステップであって、前記特化したウェブ・サービスが、前記第１情報および前記第２情報の双方に少なくとも部分的に基づいて特化される、ステップと
を含む、コンピュータ実装方法。
【請求項２】
請求項１記載のコンピュータ実装方法であって、前記特化したウェブ・サービスが、前記第１の固有人物または前記第２の固有人物に対して権利を制限し、更に、
前記特化したウェブ・サービスを通じて製品またはサービスを購入する前記第１の固有人物または前記第２の固有人物の内の一方に対する権利を格上げするために、前記第１の固有人物または前記第２の固有人物の内一方による安全な選択を可能にするステップと、
権利を格上げする安全な選択に応答して、前記ウェブ対応サービス・プロバイダに、前記第１の固有人物または前記第２の固有人物に対する権利を格上げさせるステップと、
を含む、コンピュータ実装方法。
【請求項３】
請求項２記載のコンピュータ実装方法において、権利を格上げする安全な選択を可能にするステップが、パスワードまたは生体識別子の受け取りを可能にし、前記パスワードまたは前記生体識別子が前記第１の固有人物または前記第２の固有人物に関連するレコードと一致することを検証するステップを含む、コンピュータ実装方法。
【請求項４】
請求項１記載のコンピュータ実装方法において、前記第１アカウントを前記第２アカウントと集合化する安全な選択を可能にするステップが、識別子の受け取りを可能にし、前記識別子が、前記第１の固有人物または前記第２の固有人物に関連するレコードと一致することを検証するステップを含む、コンピュータ実装方法。
【請求項５】
請求項１記載のコンピュータ実装方法において、前記第１アカウントを前記第２アカウントと集合化する安全な選択を可能にするステップが、
前記第１の固有人物の安全なログイン、
前記第２の固有人物と集合化するための前記第１の固有人物による安全な選択、
前記第２の固有人物の安全なログイン、および
前記第１の固有人物と集合化するための前記第２の固有人物による安全な選択
を可能にするステップを含む、コンピュータ実装方法。
【請求項６】
請求項１記載のコンピュータ実装方法において、安全な選択を可能にするステップが、前記第１の固有人物および前記第２の固有人物に関連する２つの別個のクライアント・コンピューティング・デバイスによってそれぞれ実行される、コンピュータ実装方法。
【請求項７】
請求項１記載のコンピュータ実装方法において、前記第１アカウントを前記第２アカウントと集合化する安全な選択を可能にするステップは、前記第２の固有人物が前記第２アカウントにログインしたのと同一のユーザ・インタフェース、または同一のクライアント・コンピューティング・デバイスによって、前記第１の固有人物が前記第１アカウントにログインしたと判断する、コンピュータ実装方法。
【請求項８】
請求項１記載のコンピュータ実装方法であって、更に、
固有人物若しくはグループに関連する第３のアカウントまたは複数の固有人物のクラスを、前記第１アカウントおよび前記第２アカウントと集合化する選択を可能にするステップと、
前記第３アカウントを集合化する選択に応答して、前記ウェブ対応サービス・プロバイダに、前記第３アカウントに関連する情報に基づいて前記特化したウェブ・サービスを変更させるステップと
を含む、コンピュータ実装方法。
【請求項９】
請求項１記載のコンピュータ実装方法において、前記ウェブ対応サービス・プロバイダに前記特化したウェブ・サービスを提供させるステップが、前記ウェブ対応サービス・プロバイダに対し、前記第１アカウントに関連する第１個人トークンと、前記第２アカウントに関連する第２個人トークンとを送るステップを含む、コンピュータ実装方法。
【請求項１０】
デバイスにおけるコンピュータ実装方法であって、
２人以上の固有人物の内少なくとも１人から、前記デバイスの選択可能な制御を通じて、前記２人以上の固有人物の内別のものをグループに追加するための選択を受け取るステップであって、前記固有人物の各々が彼または彼女自身の情報を有し、前記選択が第１のパスワードを通じて検証される、ステップと、
前記固有人物の情報と前記２人以上の固有人物の内前記別のものを前記グループに追加するための前記受け取った選択とに基づいて、ウェブ・サービスを前記２人以上の固有人物に特化させるステップと、
前記２人以上の固有人物に、前記特化したウェブ・サービスを提供するステップと、
前記２人以上の固有人物の内前記少なくとも１人が、第２のパスワードの検証の受け取りに応答して、前記特化したウェブ・サービスから製品またはサービスを購入するのを可能にするステップと、
を含む、コンピュータ実装方法。
【請求項１１】
前記特化したウェブ・サービスが、単一のクライアント・デバイスを通じて前記２人以上の固有人物の両方に提供される、請求項１０記載のコンピュータ実装方法。
【請求項１２】
請求項１０記載のコンピュータ実装方法において、前記ウェブ・サービスが、２つ以上の別個のクライアント・デバイスを通じて前記２人以上の固有人物に提供され、前記２つ以上の別個のクライアント・デバイスのそれぞれが前記２人以上の固有人物の内１人以上に関連する、コンピュータ実装方法。
【請求項１３】
請求項１０記載のコンピュータ実装方法であって、更に、
前記２人以上の固有人物の内１人から、権利を格上げする選択を受け取るステップであって、前記選択が、関連する識別子を有する、ステップと、
前記選択に応答して、
前記関連する識別子をマネージャに提供し、
検証または検証の欠如を前記マネージャから受け取る
ステップと、
前記検証の受け取りに応答して、前記検証が関連する前記固有人物の権利を格上げするステップと、
前記検証の欠如に応答して、前記固有人物の権利を格上げしないステップと
を含む、コンピュータ実装方法。
【請求項１４】
権利を格上げするステップが、前記格上げ権利が、該格上げ権利の単一の権利行使に制限する、請求項１３記載のコンピュータ実装方法。
【請求項１５】
前記特化したウェブ・サービスを提供するステップが、２つ以上のクライアント・デバイス上の２つ以上のブラウザを通じたものである、請求項１０記載のコンピュータ実装方法。
【請求項１６】
デバイスにおけるコンピュータ実装方法であって、
２人以上の固有人物が、ウェブ・サービスに関連するそれぞれのアカウントにログインすることを可能にするステップであって、前記２人以上の固有人物の内少なくとも２人についての前記ログインが、該ログインと連動してなされる選択を通じて前記２人以上の固有人物の内前記少なくとも２人の集合化を明示的または暗示的に示す、ステップと、
前記デバイスによって、前記ログインと連動してなされた前記選択を通じて集合化された、前記２人以上の固有人物の内前記少なくとも２人に少なくとも部分的に基づいて、前記２人以上の固有人物の内前記少なくとも２人のそれぞれに対し、特化したウェブ・サービスを提供するステップであって、前記特化したウェブ・サービスが、前記２人以上の固有人物の内前記少なくとも２人のそれぞれの好みに特化される、ステップと
を含む、方法。
【請求項１７】
請求項１６記載のコンピュータ実装方法において、前記特化したウェブ・サービスが格上げ権利を含まず、当該方法が更に、前記２人以上の固有人物の内１人がログインするのに使用されるパスワードとは異なるパスワードを通じて、前記格上げ権利の安全な選択に応答して前記２人以上の固有人物の内前記１人に対する前記格上げ権利を可能にするステップを含む、コンピュータ実装方法。
【請求項１８】
請求項１７記載のコンピュータ実装方法において、前記格上げ権利を可能にするステップが、
前記格上げ権利を要求する動作の選択を受け取るステップと、
前記２人以上の固有人物による選択が、前記動作の選択を行ったのは前記２人以上の固有人物の内どの１人かを示すことを可能にするステップと、
前記２人以上の固有人物の内どの１人が前記動作の選択を行ったかを示す前記選択を受け取るステップと
を含む、コンピュータ実装方法。
【請求項１９】
請求項１７記載のコンピュータ実装方法において、前記２人以上の固有人物の内どの１人が前記動作の選択を行ったかを示す前記選択が、識別子を受け取ると共に検証し、前記識別子が、前記動作の選択を行った、前記２人以上の固有人物の内前記１人によるログインの一部として用いられない、コンピュータ実装方法。